(57)【特許請求の範囲】
【請求項１】
洗浄水供給用の流路を備えた握持用の柄棒と、該柄棒の先端に取り付けられたブラシヘッドと、該ブラシヘッドの刷毛取付面に植設された刷毛と、上記刷毛取付面に開口して柄棒からの洗浄水を噴出するノズルとを含み、
上記ブラシヘッドは横に細長い矩形状をなしていて、上面側の長手方向中央部寄りの位置に上記柄棒が、該ブラシヘッドに対して傾斜状態で該ブラシヘッドの幅方向に延在するように取り付けられ、
上記ブラシヘッドの刷毛取付面と上記柄棒との間の位置には、上記ブラシヘッドを上に向けて高所を洗浄する際に上記ノズルからの洗浄水が該柄棒を伝って流下するのを防止するためのフランジが形成され、
上記フランジは、上記刷毛取付面における上記柄棒側の長辺に沿う位置に、該刷毛取付面から上記刷毛に沿って立ち上がるように張り出す第１フランジ部を有し、該第１フランジ部は、柄棒に近い中央部分において上記刷毛取付面の幅方向の最も内側寄りの位置を占め、両側にいくに従って次第に該刷毛取付面の幅方向外側寄りの位置を占めるように湾曲している、
ことを特徴とする通水式デッキブラシ。
【請求項２】
上記第１フランジ部は、上記柄棒に近い中央部分の張り出し長さが最も大きく、両端に行くほど次第に張り出し長さが小さくなるように形成されていることを特徴とする請求項１に記載の通水式デッキブラシ。
【請求項３】
上記フランジが、上記刷毛取付面における上記柄棒側の長辺寄りの位置に上記ブラシヘッドの側面方向に張り出す第２フランジ部を有し、該第２フランジ部は、中央部の張り出し長さが最も大きく、両端に行くほど次第に張り出し長さが小さくなるように形成されていることを特徴とする請求項１または２に記載の通水式デッキブラシ。
【発明の詳細な説明】
【０００１】
【発明の属する技術分野】
本発明は、洗浄水を供給しながら壁面や窓ガラス等を洗浄する通水式デッキブラシに関するものである。
【０００２】
【従来の技術】
ブラシヘッドに設けたノズルから洗浄水を噴出しながら壁面や窓ガラス等を洗浄する通水式デッキブラシは、従来より公知である。この種のデッキブラシにおいては、ブラシヘッドを上に向けて高所の壁面等を洗浄するような場合に、洗浄液が柄棒を伝って流下し、手や衣服等を汚し易い。
【０００３】
このため従来より、柄棒の適宜位置に洗浄液の流れを遮る鍔状の防滴部材を取り付け、この防滴部材を伝って洗浄液が流れ落ちるようにすることにより、それ以上柄棒を伝って洗浄液が手元側に流下しないようにした防滴形のデッキブラシが提案されている。
【０００４】
しかしながら、このような従来のデッキブラシは、上記防滴部材を柄棒に取り付けているため、洗浄液がある程度柄棒を伝って手元側まで流下して来た位置でこの防滴部材に沿って流下することになり、作業者が濡れるケースも多く防滴効果が不十分であった。また、収納時に柄棒の周囲に張り出す上記防滴部材が邪魔になって収納しにくく、外観上も余り体裁が良いとは言えなかった。
【０００５】
【発明が解決しようとする課題】
本発明の技術的課題は、洗浄水が柄棒を伝って手元側に流下するのを確実かつ効率良く防止することができる、防滴効果の勝れた通水式デッキブラシを提供することにある。
【０００６】
本発明の他の技術的課題は、収納が容易で外観の勝れた通水式デッキブラシを提供することにある。
【０００７】
【課題を解決するための手段】
上記課題を解決するため、本発明によれば、洗浄水供給用の流路を備えた握持用の柄棒と、該柄棒の先端に取り付けられたブラシヘッドと、該ブラシヘッドの刷毛取付面に植設された刷毛と、上記刷毛取付面に開口して柄棒からの洗浄水を噴出するノズルとを含み、上記ブラシヘッドは横に細長い矩形状をなしていて、上面側の長手方向中央部寄りの位置に上記柄棒が、該ブラシヘッドに対して傾斜状態で該ブラシヘッドの幅方向に延在するように取り付けられ、上記ブラシヘッドの刷毛取付面と上記柄棒との間の位置には、上記ブラシヘッドを上に向けて高所を洗浄する際に上記ノズルからの洗浄水が該柄棒を伝って流下するのを防止するためのフランジが形成され、上記フランジは、上記刷毛取付面における上記柄棒側の長辺に沿う位置に、該刷毛取付面から上記刷毛に沿って立ち上がるように張り出す第１フランジ部を有し、該第１フランジ部は、柄棒に近い中央部分において上記刷毛取付面の幅方向の最も内側寄りの位置を占め、両側にいくに従って次第に該刷毛取付面の幅方向外側寄りの位置を占めるように湾曲していることを特徴とするものである。
【０００８】
上記構成を有する本発明のデッキブラシにおいて、ブラシヘッドを上に向けて高所の壁面や窓ガラス等を洗浄する場合に、刷毛取付面を伝って流下する洗浄液は、ブラシヘッドから側方に張り出す上記フランジによって遮られ、このフランジを伝って流れ落ちることになり、柄棒を伝って手元側に流下することがない。しかも、上記フランジがブラシヘッドに形成されていて、作業者から最も遠い位置で洗浄液が遮断されるようになっているため、作業者が濡れるおそれがなく、防滴効果に勝れる。
【０００９】
更に、上記フランジをブラシヘッドに形成しているため、柄棒に形成した従来例のように収納時に該防滴部材が邪魔になるようなことがなく、収納性に勝れるだけでなく、外観も勝れる。
【００１０】
本発明の具体的な実施形態によれば、上記第１フランジ部が、上記柄棒に近い中央部分の張り出し長さが最も大きく、両端に行くほど次第に張り出し長さが小さくなるように形成されている。
【００１１】
本発明において好ましくは、上記フランジが、上記刷毛取付面における上記柄棒側の長辺寄りの位置に上記ブラシヘッドの側面方向に張り出す第２フランジ部を有し、該第２フランジ部は、中央部の張り出し長さが最も大きく、両端に行くほど次第に張り出し長さが小さくなるように形成されていることである。
【００１５】
【発明の実施の形態】
図１は本発明に係るデッキブラシの好ましい一実施形態を示すもので、このデッキブラシ１は、洗浄水供給用の流路を内部に備えたパイプ部材からなる握持用の柄棒２と、該柄棒２の先端に取り付けられたブラシヘッド３と、該ブラシヘッド３の刷毛取付面３ａに植設された刷毛４と、上記刷毛取付面３ａに開口して柄棒２からの洗浄水を噴出するノズル５とを有している。
【００１６】
上記ブラシヘッド３は、図２〜図４からも分かるように、横に細長い矩形状をしていて、その上面側の中央部寄りの位置に柄棒用取付部８が、その軸線を該ブラシヘッド３の幅方向に傾斜させた状態に形成され、この取付部８に上記柄棒２が取り付けられている。そして、該ブラシヘッド３の下面は上記刷毛取付面３ａとなっていて、この刷毛取付面３ａの中央部に上記ノズル５が開口し、このノズル５を取り囲むように設けられた複数の孔９に上記刷毛４が植設されている。図中６は窪みである。
【００１７】
上記ブラシヘッド３はまた、上記刷毛取付面３ａを取り囲む４つの辺のうち柄棒２寄りの長辺３ｂが、図４から分かるように、刷毛取付面３ａの中央部の幅が最も狭くかつ両端の幅が次第に広くなる方向に湾曲した形に形成され、この湾曲する長辺３ｂに沿って、上記刷毛取付面３ａ上に立ち上がるように張り出す第１フランジ部１１と、該第１フランジ部１１とはほぼ９０度異なる角度で上記刷毛取付面３ａとは逆の方向に張り出す第２フランジ部１２とからなる、防滴用のフランジ１０が形成されている。
【００１８】
上記第１フランジ部１１は、湾曲する長辺３ｂと同じ方向に湾曲しており、更にその先端縁１１ａが、図３から分かるように、中央部分で張り出し長さが最も大きく、両端に行くほど次第に小さくなるように湾曲している。
【００１９】
なお、上記第１フランジ部１１は、上記長辺３ｂだけに沿うように形成しても良いが、図４に示すように、両端が長辺３ｂの両側の２つの短辺３ｃの一部に達するように形成することが望ましい。
【００２０】
一方、上記第２フランジ部１２は、上記長辺３ｂに沿って形成され、その中央部分が折れ曲がって第１フランジ部１１の先端側に突き出したような段付き形状をしているが、全体を一直線状に形成することもできる。また、この第２フランジ部１２は、図４から分るように、その張り出し長さが中央部分で最も大きく、両端に行くほど次第に小さくなるように形成されている。
なお、図中２ａは、給水用ホースを柄棒２に接続するための接続部である。
【００２１】
上記構成を有するデッキブラシ１は、柄棒２を通じて供給される洗浄水をブラシヘッド３のノズル５から噴出させながら、床面や壁面あるいはガラス面等の洗浄対象部位を刷毛４で洗浄するものである。
【００２２】
ここで、図５に示すように、上記ブラシヘッド３を上に向けて高所の壁面や窓ガラス等を洗浄する場合、刷毛取付面３ａを伝って流下する洗浄液は、該刷毛取付面３ａの下部に位置するフランジ１０によって遮られ、このフランジ１０を伝って流れ落ちることになるため、柄棒２を伝って手元側に流下することがない。即ち、上記洗浄液は先ず、第１フランジ部１１により遮られ、この第１フランジ部１１を伝って流れ落ちる。デッキブラシ１の使用角度によっては、洗浄液が上記第１フランジ部１１の下面側に回り込むこともあり得るが、回り込んだ洗浄液は今度は第２フランジ部１２で遮られ、この第２フランジ部１２を伝って流れ落ちるため、柄棒２に達することがない。
【００２３】
しかも、上記第１フランジ部１１は、デッキブラシ１が図５に示す使用状態にあるとき、柄棒２に最も近い中央部分が最も高い位置を占めるように上方に向けて湾曲すると共に、該中央部分が刷毛取付面３ａから最も大きく張り出しているため、洗浄液は、該第１フランジ部１１でブラシヘッド３の両端側に確実に導かれてその両端部から流れ落ち、柄棒２から遮断される。仮に一部の洗浄液が該第１フランジ部１１の下面側に回り込んだとしても、その下には上記第２フランジ部１２があり、この第２フランジ部１２も柄棒２に近い中央部分の張り出し長さが最も大きいため、洗浄液が柄棒２に達するのが確実に防止される。
【００２４】
上記実施例では、防滴用フランジ１０が、互いに異なる方向に張り出す第１フランジ部１１と第２フランジ部１２部との複数のフランジ部分を備えているが、何れか一つのフランジ部でそれを形成することもできる。このように一つのフランジ部だけを設ける場合、その張り出し方向は、必ずしも上記実施例にある第１フランジ部１１又は第２フランジ部１２部の何れかの方向に限定されるものではなく、それらの中間の方向であっても、それ以外の方向であっても構わない。要するに、所期の防滴効果が得られる方向であれば良いのである。
【００２５】
また、図示の実施例では上記フランジ１０がブラシヘッド３と一体に形成されているが、該フランジ１０を別部品として形成し、これをブラシヘッド３に取り付けるようにしても良い。
【００２６】
【発明の効果】
以上に詳述したように本発明のデッキブラシによれば、ブラシヘッドに設けたフランジにより洗浄水が柄棒を伝って手元側に流下するのを確実かつ効率良く防止することができ、防滴効果が勝れる。
また、上記フランジがブラシヘッドに形成されていて、作業者から最も遠い位置に洗浄液が流れ落ちるようになっているため、作業者が濡れるおそれがなく、衛生的かつ安全である。
更に、上記フランジをブラシヘッドに形成しているため、柄棒に形成した従来例のように収納時に該防滴部材が邪魔になるようなことがなく、収納性に勝れるだけでなく、外観も勝れる。
【図面の簡単な説明】
【図１】本発明に係るデッキブラシの一実施例を示す側面図である。
【図２】図１の要部拡大断面図である。
【図３】図２を柄棒側から見た図である。
【図４】刷毛を省略した状態のブラシヘッドの下面図である。
【図５】上記デッキブラシの一使用例を示す側面図である。
【符号の説明】
１  デッキブラシ
２  柄棒
３  ブラシヘッド
３ａ  刷毛取付面
３ｂ  長辺
４  刷毛
５  ノズル
１０  フランジ
１１  第１フランジ部
１２  第２フランジ部
【図１】
0004233155.tif 000002
【図２】
0004233155.tif 000003
【図３】
0004233155.tif 000004
【図４】
0004233155.tif 000005
【図５】
0004233155.tif 000006